(57)【要約】【課題】音声情報を記録する技術において、使い勝手を向上する事を目的とする。【解決手段】制御回路１３は、音声情報がマイク４と音声情報入力端子５とのいずれから入力されるかに応じて、記録回路１０による音声情報の記録速度を選択し、選択した記録速度で記録回路１０により音声情報を光ディスク１２に記録させる。【選択図】  図１
2004158148.tif 000002
【特許請求の範囲】
【請求項１】
音声情報を記録媒体に記録する記録装置において、
入力された音声を音声情報として出力する音声入力手段と、
外部から音声情報が入力される音声情報入力端子と、
前記音声入力手段または前記音声情報入力端子から出力された音声情報を、前記記録媒体に記録する記録手段と、
前記音声入力手段と前記音声情報入力端子とのいずれから出力された音声情報を記録させるかに応じて、前記音声情報の記録速度を変化させるように前記記録手段を制御する制御手段とを有する記録装置。
【請求項２】
請求項１に記載の記録装置であって、
前記記録手段は、間欠的に前記音声情報を前記記録媒体に記録する記録装置。
【請求項３】
請求項１または請求項２に記載の記録装置であって、
前記制御手段は、前記音声入力手段から出力された音声情報を記録する場合の記録速度を、前記音声情報入力端子から出力された音声情報を記録する場合の記録速度よりも低くなるように前記記録手段を制御する記録装置。
【請求項４】
音声情報を記録媒体に記録する記録装置において、
入力された音声を音声情報として出力する音声入力手段と、
前記音声入力手段から出力される音声情報を記憶する記憶手段と、
前記記憶手段に記憶された音声情報を前記記録媒体に記録する記録手段と、
前記音声入力手段から音声情報が出力される場合と出力されない場合とで、前記記憶手段に記憶されている前記音声情報の前記記録媒体への記録速度を変化させるように前記記録手段を制御する制御手段とを有する記録装置。
【請求項５】
請求項４に記載の記録装置であって、
前記制御手段は、前記音声入力手段から音声情報が出力される場合の前記記録手段の記録速度を、前記音声入力手段から音声情報が出力されない場合の前記記録手段の記録速度よりも低くなるように前記記録手段を制御する記録装置。
【請求項６】
音声情報を記録媒体に記録する記録装置において、
入力された音声を音声情報として出力する音声入力手段と、
前記音声入力手段から出力された音声情報を記憶する記憶手段と、
前記記憶手段に記憶された音声情報を、前記記録媒体に記録する記録手段と、前記音声の記録終了を指示された場合に、前記記録終了指示前の記録速度よりも高速で前記記憶手段に記憶されている前記音声情報を前記記録媒体への記録させるように前記記録手段を制御する制御手段とを有する記録装置。
【請求項７】
音声情報を記録媒体に記録する記録装置において、
入力された音声を音声情報として出力する音声入力手段と、
前記音声入力手段が出力した音声情報の音量を検出する音量検出手段と、
前記音声情報を前記記録媒体に記録する記録手段と、
前記音量検出手段により検出された音量に応じて、前記音声情報の前記記録媒体への記録速度を変化させるように前記記録手段を制御する制御手段とを有する記録装置。
【請求項８】
請求項７に記載の記録装置であって、
前記制御手段は、前記音声情報の音量に対応した前記記録手段の記録速度を示すテーブルを有し、前記テーブルに基いて、前記音量検出手段により検出された音量に応じた前記記録手段の記録速度の制御を行なう記録装置。
【請求項９】
音声情報を記録媒体に記録する記録方法において、
音声が入力され、または、外部から音声情報が入力され、
前記入力された音声を音声情報として前記記録媒体に記録する場合と前記入力された音声情報を前記記録媒体に記録する場合とで、前記音声情報の記録速度を変化させる記録方法。
【請求項１０】
請求項９に記載の記録方法であって、
間欠的に前記音声情報を前記記録媒体に記録する記録方法。
【請求項１１】
請求項９または請求項１０に記載の記録方法であって、
前記入力された音声を音声情報として前記記録媒体に記録する場合の記録速度を、前記入力された音声情報を前記記録媒体に記録する場合の記録速度よりも低くする記録方法。
【請求項１２】
音声情報を記録媒体に記録する記録方法において、
音声が入力され、
前記入力された音声を音声情報として記憶し、
前記音声情報が記憶される場合と記憶されない場合とで、記録速度を変化させて前記記憶した音声情報を前記記録媒体へ記録する記録方法。
【請求項１３】
請求項１２に記載の記録方法であって、
前記音声情報が記憶される場合の前記音声情報の前記記録媒体への記録速度を、前記音声情報が記憶されない場合の前記音声情報の前記記録媒体への記録速度よりも低くする記録方法。
【請求項１４】
音声情報を記録媒体に記録する記録方法において、
音声が入力され、
前記入力された音声を音声情報として記憶し、
前記記憶した音声情報を前記記録媒体に記録し、
前記音声の記録終了を指示された場合に、前記記録終了指示前の記録速度よりも高速で前記記憶した音声情報を前記記録媒体へ記録する記録方法。
【請求項１５】
音声情報を記録媒体に記録する記録方法において、
音声が入力され、
前記入力された音声の音量を検出し、
前記検出された音量に応じて、記録速度を変化させて、前記入力された音声を音声情報として前記記録媒体へ記録する記録方法。
【請求項１６】
請求項１５に記載の記録方法であって、
前記音声の音量に対応した前記音声情報の記録速度を示すテーブルに基いて、前記検出された音量に応じて、記録速度を変化させて、前記入力された音声を音声情報として前記記録媒体へ記録する記録方法。
【発明の詳細な説明】
【０００１】
【発明の属する技術分野】
本発明は、情報を記録媒体に記録する技術に関する。特に、音声情報を記録媒体に記録する技術に関する。
【０００２】
【従来の技術】
従来、音声情報や画像情報を記録する装置として、ビデオカメラ等の記録装置が存在する。このような携帯機器は主にバッテリーで駆動されるため、消費電力を低減させることは重要な課題である。
【０００３】
また、上記のような記録装置では、記録を指示した直後の画像情報や音声情報を記録媒体に記録することは困難であった。なぜなら、ディスク上の記録媒体の場合には、シーク時間やディスクの回転安定待ち時間を要し、テープ状の記録媒体の場合には、回転ヘッドの回転安定待ち時間等のいわゆるオーバーヘッド時間と呼ばれる待ち時間を要するためである。この問題に対し、記録を指示された直後から、音声情報又は画像情報を一旦バッファメモリに記録、蓄積し、前記待ち時間の後、バッファメモリに蓄積した音声情報や画像情報を記録媒体に記録することで、記録開始時における遅れを低減する技術が提案されている。また、バッファメモリ内の情報蓄積量に応じて、記録開始と記録停止とを繰り返して情報を記録媒体に記録する間欠記録が開示されている（例えば、特許文献１を参照）。
【０００４】
【特許文献１】
特開平１１−１１０９１７号公報
【０００５】
【発明が解決しようとする課題】
上述した従来技術において、記録媒体への記録速度を上げる場合に生じる騒音や振動については考慮されていなかった。即ち、ディスクに情報を記録する場合はディスクの回転数を上げる必要があり、テープに情報を記録する場合は回転ヘッドやテープ送りモータの速度を上げる必要があるが、これにより記録装置自体の騒音や振動が大きくなる。特にビデオカメラ等のようにマイクから音声を記録する装置の場合、記録動作時の上記装置自体の騒音や振動が装置の筐体を伝わってマイクに入力されるという問題がある。そのため、実際の記録装置では記録媒体への記録速度は、上記装置自体の騒音や振動を考慮して、記録媒体へ記録できる最高速度よりも低い速度に制限されるようになっている。
【０００６】
また、上述した従来技術においては、装置自体が有するマイクと、装置が有しないマイク等から音声情報が入力される音声情報入力端子と、から出力された音声情報を記録できる記録装置については考慮されていなかった。
【０００７】
また、間欠記録の場合の消費電力の低減等についても考慮されていなかった。
【０００８】
本発明の目的は、上記課題を解決する事を目的とする。また、音声情報を記録する技術において、使い勝手の良い情報記録技術を提供することを目的とする。
【０００９】
【課題を解決するための手段】
本発明は、上記目的を解決するために、音声情報を記録媒体に記録する記録技術において、前記入力された音声を音声情報として前記記録媒体に記録する場合と前記入力された音声情報を前記記録媒体に記録する場合とで、前記音声情報の記録速度を変化させる記録技術とする。
【００１０】
【発明の実施の形態】
以下、本発明の第一の実施形態を説明する。本発明は、ディスク状記録媒体に限らず、テープ状の記録媒体、及び半導体記録媒体等あらゆる記録媒体に情報を記録する技術に適用できるが、本実施形態においては、記録媒体は、光ディスクであり、記録装置は、音声情報及び画像情報を光ディスクに記録するカメラであるものとして説明をする。
【００１１】
図１は、本実施形態のカメラを説明する図である。図１において、被写体の画像は、ＣＣＤ１から入力され、デジタル化回路２によりデジタル化された画像情報に変換され、画像圧縮回路３によりＭＰＥＧ（Ｍｏｖｉｎｇ  ＰｉｃｔｕｒｅＥｘｐｅｒｔｓ  Ｇｒｏｕｐ）圧縮される。音声はマイク４から入力され、又は音声情報が音声情報入力端子５から入力される。マイク４又は音声情報入力端子５から出力された音声情報は、デジタル化回路６によりデジタル化され、音声圧縮回路７によりＭＰＥＧ圧縮される。上記圧縮された音声情報及び画像情報は多重化回路８により、多重化され、バッファメモリ９に一時的に記憶される。バッファメモリ８に記録されている音声画像情報は、所定のタイミングで記録回路１０を介して光ヘッド１１により光ディスク１２に記録される。なお、制御回路１３は、指示入力回路１４の指示に基づき、デジタル化回路２、デジタル化回路６、画像圧縮回路３、音声圧縮回路７、多重回路８、バッファメモリ９、又は記録回路１０等の処理を制御する。
【００１２】
ここで、本実施形態におけるカメラは、マイク４から出力される音声情報と音声情報入力端子５から出力される音声情報とのいずれかを光ディスク１２に記録する。
【００１３】
すなわち、制御回路１３は、指示入力回路１４からマイク４から出力された音声情報の記録を指示されると、デジタル化回路６に、マイク４からの音声情報をデジタル化させる。また、制御回路１３は、指示入力回路１４から音声情報入力端子から出力された音声情報の記録を指示されると、デジタル化回路６に、音声情報入力端子５からの音声情報をデジタル化させる。
【００１４】
なお、マイク４はカメラが有する音声入力手段であるのに対し、音声情報入力端子５は、カメラが有しない外部のマイク等の音声入力手段から出力された音声情報が入力される端子である。
【００１５】
制御回路１３は、指示入力回路１４からの記録開始指示を受けると、デジタル化回路２、デジタル化回路６、画像圧縮回路３、音声圧縮回路７、多重化回路８、バッファメモリ９、記録回路１０等の処理を開始させ、光ヘッド１１を介して、光ディスク１２に音声画像情報を記録させる。また、記録回路１０は、少なくとも２種類の記録速度で光ディスクに音声画像情報を記録することがでる。制御回路１３は、所定の記録速度を選択し、記録回路１０を動作させる。
【００１６】
ここで、光ディスク１２への記録動作の際には、光ディスク１２及び駆動用モータの回転等により騒音や振動が発生し、マイク４を介して入力される音声とともに騒音および振動がノイズとして入力され、マイク４から出力される音声情報の品質が低下する。光ディスク１２への記録速度を速くした場合、光ディスク１２の回転速度も速くなるため、光ディスク１２への記録速度が遅い場合に比して、騒音および振動が大きくなり、ノイズとして認識されやすくなる。従って、制御回路１３は、マイク４と音声情報入力端子５とのいずれから出力された音声情報を記録するかを判断し、マイク４から出力された音声情報を記録する場合には、カメラの騒音および振動が音声情報に影響を与えない許容以下となる低速の記録速度を選択し、記録回路１０を動作させ、光ディスク１２に音声画像情報を記録させる。
【００１７】
一方、制御回路１３は、音声情報入力端子５から出力された音声情報を記録する場合は、カメラ４による騒音や振動の影響がないため、前記低速の記録速度よりも高速の記録速度（例えば本装置の最高記録速度）を選択し、記録回路１０を動作させ、光ディスク１２に音声画像情報を記録させる。
【００１８】
なお、記録動作中でも、制御回路１３は、指示入力回路１４からマイク４から出力された音声情報の記録を指示されると、記録回路１０の記録速度を低速の記録速度とし、記録回路１０を動作させ、光ディスク１２に音声画像情報を記録させる。
【００１９】
以上、第一の実施形態においては、マイク４と音声情報入力端子５とのいずれから出力された音声情報を記録するかに応じて、音声情報の前記光ディスクへの記録速度を変化させるため、マイク４から音声情報が出力される場合には、記録速度が高速になることによる騒音や振動のノイズがマイク４に入力されることを低減することができ、音声情報入力端子５から音声情報が出力される場合には、カメラによる騒音や振動のノイズの発生に係らず記録速度を高速にでき、使い勝手が向上する。
【００２０】
次に第二の実施形態について説明する。
【００２１】
第二の実施形態においては、記録動作として間欠記録とした場合について、図１及び図２を用いて説明する。本実施形態において、記録装置はカメラであり、記録媒体は光ディスクであるものとして説明をするが、本発明は、これに限らず、記録媒体に情報を記録する技術に対して適用する事ができる。
【００２２】
制御回路１３は、マイク４から出力された音声情報の記録を指示されている場合は、図２中の実線で示す動作を、音声情報入力端子５から出力された音声情報の記録を指示されている場合は、図２中の破線で示す動作を記録回路１０に行わせる。
【００２３】
時間Ｔ０において、光ディスク１２への記録動作により、バッファメモリ９の蓄積情報量が予め設定された情報量であるＡ２より少なくなると、制御回路１３は、記録回路１２の光ディスク１２への記録動作を停止させる。その後、記録動作は停止しているが、バッファメモリ１２には音声画像情報が順次入力され、バッファメモリ１２に蓄積されていく。ここでは多重化回路８からの出力される音声画像情報の符号化レートを１０Ｍｂｐｓとする。時間Ｔ１において、バッファメモリ１２に蓄積された音声画像情報の量が予め設定された情報量であるＡ１になると、制御回路１３は記録回路１０の記録動作を開始させる。すなわち、記録回路１０は、光ディスク１２を回転させ、光ヘッド１１を記録位置にシークさせ、音声画像情報を光ディスク１２に記録させる。
【００２４】
なお、実際の記録動作にはシーク時間や、ディスクの回転が安定するまでの安定時間を要するが、これら時間は、間欠記録における記録停止時間と比して小さい時間であるため、説明の便宜上、シーク時間や安定時間を要しないものとして説明を進める。
【００２５】
間欠記録動作の場合においても、実施形態１の場合と同様、制御回路１３は、マイク４と音声情報入力端子５とのいずれから音声情報を記録するかに応じて、記録回路１０の記録速度を変化させるように制御する。
【００２６】
制御回路１３は、マイク４から出力された音声情報の記録を指示されると、カメラの騒音および振動が音声情報に影響を与えない許容以下となる低速の記録速度を選択し、記録回路１０を動作させ、光ディスク１２に音声画像情報を記録させる。ここでは低速の記録速度を２０Ｍｂｐｓに設定している。時間Ｔ２において、バッファメモリ９に蓄積された、蓄積情報量があらかじめ設定されてた情報量であるＡ２より小さくなると、制御回路１３は、記録回路１０の記録動作を停止させる。
【００２７】
この場合、Ｔ０からＴ１の期間は、１０Ｍｂｐｓの速度でバッファメモリ９の蓄積情報量が増大し、Ｔ１からＴ２の期間は、１０Ｍｂｐｓの速度でバッファメモリ９の蓄積情報量が減少する。従って、停止時間と記録時間との比率は約１対１の比となり、間欠記録周期の約５０％は書き込み動作やディスク回転を行わないようになるため、カメラの省電力化や発熱の低減を図る事ができる。
【００２８】
一方、制御回路１３は、音声情報入力端子５から出力された音声情報の記録を指示された場合は、カメラの騒音および振動は音声情報に影響を与えないため、前記低速の記録速度以上の高速の記録速度を選択し、記録回路１０を動作させ、光ディスク１２に音声情報を記録させる。ここでは高速の記録速度を本装置の最高記録速度である３０Ｍｂｐｓに設定している。時間Ｔ２’において、バッファメモリ９に蓄積された、蓄積情報量があらかじめ設定されていた情報量であるＡ２より小さくなると、制御回路１３は、記録回路１０の記録動作を停止させる。
【００２９】
この場合、Ｔ０からＴ１の期間は、１０Ｍｂｐｓの速度でバッファメモリ９の蓄積情報量が増大し、Ｔ１からＴ２’の期間は、２０Ｍｂｐｓの速度でバッファメモリ９の蓄積情報量が減少するため、停止時間と記録時間の比率は約２：１の比となり、間欠記録周期の約６６．７％は書き込み動作やディスク回転を行わないこととなり、光ディスク１２への記録速度を２０Ｍｂｐｓとした時に比して、更なるカメラの省電力化及び発熱低減を図ることができる。
【００３０】
以上、第二の実施形態において、間欠記録を行なう場合においても、第一の実施形態と同様に記録装置の使い勝手が向上する。さらに、間欠記録を行うことにより、記録装置の省電力化や発熱の低減を図る事ができる。
【００３１】
次に、第三の実施形態について説明する。
【００３２】
第三の実施形態においては、記録終了処理の高速化について、図１及び図３を用いて説明する。本実施形態においては、記録動作としては間欠記録を行なうものとして説明をするが、間欠記録でない記録動作にも本発明を適用することができる。また、本実施形態において、記録装置はカメラであり、記録媒体は光ディスクであるものとして説明をするが、本発明は、これに限らず、記録媒体に情報を記録する技術に対して適用する事ができる。
【００３３】
図３において、時間Ｔ４以前は、マイク４から出力された音声情報を含む音声画像情報を、前述した間欠記録動作によって、光ディスク１２に記録している。
この時、制御回路１３は、マイク４から音声が入力されている為、カメラの騒音および振動が、音声に影響を与えない許容以下となる低速の記録速度を選択し、記録回路１０を動作させ、光ディスク１２に音声画像情報を記録させる。ここでは低速の記録速度を２０Ｍｂｐｓに設定している。
【００３４】
本実施形態では、時間Ｔ４において、制御回路１３は、指示入力回路１４からの記録終了指示を受けると、デジタル化回路６、デジタル化回路２、画像圧縮回路３、音声圧縮回路７、及び多重化回路８を停止させる。また、制御回路１３は、記録終了指示を受けた場合は、記録回路１０により、記録終了指示以前に蓄積されたバッファメモリ９の音声画像情報を前記低速の記録速度よりも速い記録速度で光ディスク１２に記録させる。ここでは高速の記録速度を本装置の最高記録速度である３０Ｍｂｐｓに設定している。これにより、例えば、時間Ｔ４におけるバッファメモリ９の蓄積情報量が６０Ｍｂｉｔであるとすると、全ての情報が光ディスク１２に記録される時刻は、時間Ｔ５’となり、Ｔ３からＴ５’まで約２秒となる。（図３中の破線を参照）
もし、制御回路１３が、記録終了処理として、記録終了指示以前に蓄積されたバッファメモリ９の音声画像情報を光ディスク１２に低速の記録速度で記録すると、時間Ｔ４におけるバッファメモリ９の蓄積情報量が６０Ｍｂｉｔである場合に、全ての情報が光ディスク１２に記録される時刻は、時間Ｔ５となり、Ｔ４からＴ５まで、約３秒を要する。この間、電源ＯＦＦ等の次の動作をさせることが出来ない。（図３中の実線を参照）
従って、本実施形態では、記録速度を切り替えない場合に比して、記録終了処理時間が短時間で終了し（図３の例においては、１秒短縮される）、ユーザの使い勝手が向上する。
【００３５】
なお、第三の実施形態ではユーザからの記録終了指示を受けることで、記録回路１０の記録速度を切替えることとしたが、制御回路１３が音声入力状態を検出し、音声情報の入力がなくなった場合に、記録回路１０の記録速度を切り替えるようにしても同様の効果を得ることができる。
【００３６】
次に、第四の実施形態について説明をする。
【００３７】
本実施形態では、制御回路１３が、指示入力回路１４によりマイク４から出力された音声情報の記録を指示された場合の動作ついて図１及び図４を用いて説明する。本実施形態において、記録装置はカメラであり、記録媒体は光ディスクであるものとして説明をするが、本発明は、これに限らず、記録媒体に情報を記録する技術に対して適用する事ができる。
【００３８】
図１において、音量検出回路１５は、マイク４から出力される音声情報の音量を検出する。制御回路１３は、音量検出回路１５で検出された音量に対応した記録回路１０の記録速度を示すテーブルを有している。制御回路１３は、検出された音量に応じて、前記テーブルに基き記録回路１０の記録速度を選択し、前記音声情報を前記光ディスク１２に記録させるよう記録回路１０を制御する。
【００３９】
次に、音量検出回路１５で検出された音量に対する、記録回路１０の記録速度のテーブルについて、図４を用いて説明する。図４は、音量検出回路１５で検出された音量に対する記録回路１０の記録速度のテーブルを示す図である。Ｘ０からＸｎまでは、音量検出回路１５で検出された音量の閾値を示し、Ｘ０からＸｎに向うにつれて音量の閾値が高くなる。また、Ｙ０からＹｎは、各々Ｘ０からＸｎの音量に対応する記録回路１０の記録速度を示す。
【００４０】
制御回路１３は、音量検出回路１５で検出された音量が、音量閾値Ｘ０以下であった場合に、記録回路１０の記録速度をＹ０に設定する。検出された音量がＸ０を超え、Ｘ１以下の場合、記録回路１０の記録速度をＹ１に設定する。すなわち、制御回路１３は、上述のように、検出された音量に応じて、前記テーブルに基き記録回路１０の記録速度を選択し、前記音声情報を前記光ディスク１２に記録させるよう記録回路１０を制御する。
【００４１】
マイク４から出力される音声情報の音量は、大音量の音声情報から小音量の音声情報まで幅が広い。例えば、遊園地等での撮影では、マイク４に入力される音声の音量は大きくなるが、大音量の音源がない所での撮影では、マイク４から入力される音声の音量は小さくなる。この場合に、記録動作の際のカメラによる騒音等の音量は、大音量の音声に比しては、相対的に小さいノイズであるが、小音量の音声に比しては、相対的に大きいノイズとなる。
【００４２】
つまり、マイク４から入力される音声の音量が大きければ大きいほど、カメラによる騒音等の音量は相対的に小さくなり、ノイズは、聴感上気にならなくなる。一方、マイク４から入力される音声の音量が小さければ小さいほど、カメラによる騒音等の音量は相対的に大きくなり、ノイズは、聴感上気になる。
【００４３】
従って、本実施形態においては、音声情報の音量に応じて、記録回路１０の記録速度を変化させることにより、ユーザに不快なノイズを光ディスクに記録しないように記録速度を調整することが可能となり、カメラの使い勝手が向上する。
【００４４】
【発明の効果】
以上、本発明は、音声情報を記録する技術において、使い勝手の良い記録技術を提供することが可能となる。
【図面の簡単な説明】
【図１】本発明に係る記録装置の一例を示すブロック図
【図２】間欠記録動作の動きを説明するタイミングチャート
【図３】間欠動作中の記録終了指示時の記録動作の動きを説明するタイミングチャート
【図４】音声情報の音量と記録速度との関係を示す図
【符号の説明】
４・・・マイク、５・・・音声情報入力端子、１０・・・記録回路、１２・・・光ディスク、１３・・・制御回路
【図１】
2004158148.tif 000003
【図２】
2004158148.tif 000004
【図３】
2004158148.tif 000005
【図４】
2004158148.tif 000006